(57)【要約】【課題】パソコンで作成したドキュメントと手書きによる筆記情報とを関連付けしてデジタルデータとして保存すること。【解決手段】デジタルペン１０で認識される位置検出用のドットパターン４０をクリアファイル３０に印刷し、リライトシート２０にドキュメントＤとページ区分Ｐを書き換え可能に印字するとともに、印字されたページ区分Ｐに基づいてデジタルペン１０でドキュメントＤのページを認識した後、クリアファイル３０にリライトシート２０を挟み込み、リライトシート２０に印字されたドキュメントＤに関するメモＭをドットパターン入りのクリアファイル３０にデジタルペン１０で書き換え可能に筆記することにより、ドキュメントＤとメモＭを関連付けてデジタルデータとして保存する。【選択図】図１
2008047044.tif 000002
【特許請求の範囲】
【請求項１】
デジタルペンとリライトシートとクリアファイルを用いたデータ保存方法であって、デジタルペンで認識される位置検出用のドットパターンをクリアファイルに印刷し、リライトシートにドキュメントとページ区分を書き換え可能に印字するとともに、印字されたページ区分に基づいてデジタルペンでドキュメントのページを認識した後、クリアファイルにリライトシートを挟み込み、リライトシートに印字されたドキュメントに関する手書きの情報をドットパターン入りのクリアファイルにデジタルペンで書き換え可能に筆記することにより、ドキュメントと筆記情報を関連付けてデジタルデータとして保存することを特徴とするデータ保存方法。
【請求項２】
デジタルデータを保存した後、リライトシートに印字したドキュメント及びページ区分と、ドットパターン入りのクリアファイルに筆記した筆記情報を消去してリライトシートとドットパターン入りのクリアファイルを再利用することを特徴とする請求項１に記載のデータ保存方法。
【発明の詳細な説明】
【技術分野】
【０００１】
本発明はデジタルペンとリライトシートとクリアファイルを利用したデータ保存方法に関する。
【背景技術】
【０００２】
従来、リライトシートをＯＡ環境で使用する場合、パソコン内にあるドキュメントをプリンタで印字し、文書参照用でのみ使用していた。また、ドキュメントが印字されたリライトシートにメモ等を手書きで追記するときには、後で消去できるようにホワイトボードマーカ等のペンで筆記している。そして、追記したメモ等の情報を残しておきたい場合には、リライトシートをコピー機で複写して紙媒体として保存する、あるいはその紙媒体をスキャナーで読み取ってパソコンに入力して保存するようにしていた。
【０００３】
しかしながら、上記のような従来の方法によると、パソコン内のドキュメントのデータがデジタルデータであるにもかかわらず、追記したメモのデータはアナログ保存になってしまう。このため、パソコン上でドキュメントとメモとの間のデータの関連付けが難しいという問題があった。
【０００４】
なお、下記の特許文献１には、プリンタで作成した定型用紙にデジタルペンで筆記することにより手書きの内容をデジタルデータ化する技術が開示されている。ところが、この技術においては使用している記録媒体が書き換えできない紙であり、デジタルペンで筆記した手書きの内容を消去することができないので、記録媒体の再利用が図れないという問題がある。
【０００５】
【特許文献１】特開２００４−２８０５１９号公報
【発明の開示】
【発明が解決しようとする課題】
【０００６】
本発明は以上のような問題を解決するためになされたものであり、パソコンで作成したドキュメントと手書きによる筆記情報とを関連付けしてデジタルデータとして保存できるようにするとともに、記録媒体の再利用が可能なデータ保存方法を提供することを目的とする。
【課題を解決するための手段】
【０００７】
本発明は、上記の目的を達成するために、デジタルペンとリライトシートとクリアファイルを用いたデータ保存方法であって、デジタルペンで認識される位置検出用のドットパターンをクリアファイルに印刷し、リライトシートにドキュメントとページ区分を書き換え可能に印字するとともに、印字されたページ区分に基づいてデジタルペンでドキュメントのページを認識した後、クリアファイルにリライトシートを挟み込み、リライトシートに印字されたドキュメントに関する手書きの情報をドットパターン入りのクリアファイルにデジタルペンで書き換え可能に筆記することにより、ドキュメントと筆記情報を関連付けてデジタルデータとして保存することを特徴とする。
【０００８】
ここで、本発明で用いられている用語を以下に定義する。
【０００９】
デジタルペンとは、筆記した情報を読み取ってそれを電子化したデジタルデータに変換して保存することが可能なペン型入力装置を意味する。本発明ではスウェーデンのアノト社が開発したアノト式の専用ペンを使用することができる。また、デジタルペンで書き換え可能に筆記するために、デジタルペンのインキには可逆性インキとして、例えば熱ペンのサーマルインキのように加熱することで消去されるインキや、ホワイトボードマーカの剥離剤入り油性インキのように拭き取ることで消去されるインキ等を使用する。
【００１０】
リライトシートとは、各種情報を印字した後にそれを消去して書き換えることが可能な記録媒体を意味する。本発明において使用可能なリライトシートとしては、例えば熱可逆反応を利用したロイコリライトシート等が挙げられる。
【００１１】
クリアファイルは、合成樹脂等からなるシートを少なくとも半分に折り畳んでその間にリライトシートを挟み込めるようになっていればよい。また、クリアファイルはリライトシートに印字されるドキュメントを確認できるように、透明又は半透明の素材であることが必要である。
【００１２】
位置検出用のドットパターンは、多数個の微細なドットからなるユニークなパターンによって、デジタルペンで筆記した情報がクリアファイル上でどの位置にあるのかを特定するための絶対座標を表わすものである。本発明では上記のアノト式の専用ペンに対応したアノトパターンを使用することができる。
【００１３】
ドキュメントとは、本発明においてはパソコンで作成する電子化されたデジタルデータの文書全般を意味し、文字列、表、図形などを含む。
【００１４】
ページ区分とは、ページ番号のようにページを認識する際に必要なデータである。ページ区分の印字は例えばドットパターン、バーコード、２次元コード、ＯＣＲ用パターン、ＯＭＲ用マーク等により表わすことができる。
【００１５】
また、本発明のデータ保存方法においては、デジタルデータを保存した後、リライトシートに印字したドキュメント及びページ区分と、ドットパターン入りのクリアファイルに筆記した筆記情報を消去してリライトシートとドットパターン入りのクリアファイルを再利用することが好ましい。
【発明の効果】
【００１６】
本発明のデータ保存方法によると以下の効果が得られる。
【００１７】
ドキュメントに手書きで追記したメモ等の情報をデジタルペンでデジタルデータに変換してメモリに保存でき、それを即座にパソコンに入力することができる。したがって、電子化に伴う作業時間が短縮化され、ＯＡ環境における業務効率が大幅に向上する。
【００１８】
デジタルペンでページ区分を認識することができ、リライトシートに印字したドキュメントとクリアファイルに手書きで追記したメモ等の情報との間でデジタルデータの関連付けを簡単に行える。このため、データのマッチングミスがなくなり、取り扱い作業性に優れる。
【００１９】
メモ等の情報を保存するためにコピー機で複写して紙媒体にしたり、あるいはそれをパソコンに取り込むためにスキャナーで入力したりする作業の必要がなくなるので、情報の漏洩を防止でき、セキュリティ性が高まる。また、紙媒体を廃止し、リライトシートとドットパターン入りのクリアファイルを再利用できるので、トータル的に見てコストの削減に繋がる。
【発明を実施するための最良の形態】
【００２０】
以下、本発明の実施形態を図面に基づいて説明する。
【００２１】
図１は本発明のデータ保存方法の手順を示す説明図、図２は本発明方法に使用するクリアファイルに印刷されたドットパターンを示す拡大図、図３は本発明方法に使用するリライトシートの構成を示す断面図、図４は本発明方法に使用するデジタルペンの構成を示す断面図である。
【００２２】
図１に示すように、本発明のデータ保存方法はデジタルペン１０とリライトシート２０とクリアファイル３０を利用したもので、（Ａ）ドットパターン印刷、（Ｂ）ドキュメント・ページ区分印字、（Ｃ）ページ認識、（Ｄ）メモ筆記、（Ｅ）データ保存、（Ｆ）ドキュメント・ページ区分・メモ消去、の手順に従って実施される。そこで、各手順の内容を以下に説明する。
【００２３】
（Ａ）ドットパターン印刷
まず、クリアファイルにドットパターンを印刷する。
【００２４】
本実施形態のクリアファイル３０は、透明なポリプロピレンシートを二つ折りし、その間にリライトシート２０を挟み込めるようにしたものである。クリアファイル３０へのドットパターン４０の印刷はオフセット印刷等（プリンタ印字でも可）によるプリンタ５０を用いて行う。すなわち、プリンタ５０のインキローラ５１から版胴５２を介してブランケット胴５３にインキを転移させ、このインキをクリアファイル３０に転写して表面にのみドットパターン４０を印刷する。ドットパターン４０はデジタルペン１０で筆記される情報とページ区分を認識するための位置検出用マーカーである。
【００２５】
本実施形態ではドットパターン４０としてアノトパターンを採用している。図２に示すように、このアノトパターンは多数個の微細なドット４１，４１，…を約０．３ｍｍ間隔の格子上の交点から上下左右のいずれかの方向へわずかにずらして配置したパターンである。つまり、６×６（１．８ｍｍ×１．８ｍｍ）の計３６個のドット４１の集合体からなるユニークなパターンがクリアファイル３０上での絶対座標を表わしている。個々のドット４１はデジタルペン１０の赤外線カメラから照射した赤外光を吸収するように、耐熱性を有する赤外線吸収インキで印刷されている。赤外線吸収インキとしては、例えば炭素系の黒色顔料を含有したインキや、補助剤に赤外線吸収剤を添加したインキを使用することができる。
【００２６】
（Ｂ）ドキュメント・ページ区分印字
次に、リライトシートにドキュメントとページ区分を印字する。
【００２７】
本実施形態のリライトシート２０は、熱可逆反応を利用したロイコリライトシートである。図３に示すように、このロイコリライトシートは基材２１の表面に感熱発色層２２を塗布したものであって、感熱発色層２２はロイコ染料等の発色剤２３とフェノール系化合物等の顕色剤２４とを含んでいる。そして、感熱発色層２２を加熱すると発色剤２３と顕色剤２４が溶融して発色し、これを急激に冷却すると発色状態が固定される。一方、感熱発色層２２を加熱して発色剤２３と顕色剤２４を溶融させ、これを徐々に冷却すると消色する。
【００２８】
ドキュメントＤはパソコン７０で作成した文字列、表、図形等のデジタルデータからなる文書である。ページ区分Ｐはページ番号等のページ認識に必要なデータをドットパターン、バーコード、２次元コード、ＯＣＲ用パターン、ＯＭＲ用マーク等で表わしたものである。リライトシート２０へのドキュメントＤとページ区分Ｐの印字はサーマルプリンタ６０を用いて行う。すなわち、サーマルプリンタ６０のサーマルヘッド６１でリライトシート２０を加熱した後に急冷すると、感熱発色層２２の発色によってドキュメントＤの情報“○○○○○”とページ区分Ｐが書き換え可能に印字される。なお、パソコン７０で作成されたドキュメントＤは、ページ区分Ｐのデータに対応してパソコン７０内のメモリに記憶されている。
【００２９】
（Ｃ）ページ認識
次に、デジタルペンでドキュメントのページを認識する。
【００３０】
本実施形態のデジタルペン１０は、アノトパターンに対応したアノト式ペンである。図４に示すように、このデジタルペン１０はケース１１内にペン部１２と、カートリッジ１３と、赤外線カメラ１４と、プロセッサ１５と、メモリ１６と、通信ユニット１７と、バッテリ１８とが収容されている。
【００３１】
ペン部１２はカートリッジ１３に充填されたインキによって筆記を行うものである。クリアファイル３０の上に書き換え可能に筆記するために、インキは可逆性のものを使用する。例えば熱ペンのサーマルインキのように加熱することで消去されるインキや、ホワイトボードマーカの剥離性油性インキのように拭き取ることで消去されるインキを使用することができる。本実施形態ではサーマルプリンタ６０のサーマルヘッド６１を使って消去できるようにサーマルインキを使用している。
【００３２】
赤外線カメラ１４はケース先端の開口部からクリアファイル３０に向けて赤外光を照射する発光部と、クリアファイル３０からの反射光を受光するＣＭＯＳセンサ等からなる受光部とを備えており、ペン部１２周辺の赤外線画像を撮影する。
【００３３】
プロセッサ１５は赤外線カメラ１４で撮影した赤外線画像から赤外線吸収レベルに応じて２値化したデータを取得し、そのデータからペン部１２の筆跡を認識してメモリ１６に筆跡のデジタルデータを記憶するものである。また、通信ユニット１７はBluetooth（登録商標）通信により外部機器との間でデータ通信を行う。なお、バッテリ１８はリチウムイオン電池からなる内部電源である。
【００３４】
ドキュメントＤのページ認識はデジタルペン１０でクリアファイル３０をなぞることによって行う。すなわち、デジタルペン１０でクリアファイル３０に印字されたページ区分Ｐの領域をなぞると、赤外線カメラ１４によってクリアファイル３０上にあるページ区分Ｐの赤外線画像が撮影される。このとき、プロセッサ１５は撮影された赤外線画像に基づいて、ページ区分Ｐのドットパターン等で特定されるドキュメントＤのページ区分Ｐの情報を認識する。プロセッサ１５が認識したページ区分のデータはメモリ１６に記憶される。
【００３５】
（Ｄ）メモ筆記
次に、デジタルペンでクリアファイルにメモを筆記する。
【００３６】
メモＭの筆記はデジタルペン１０のインキによって行う。すなわち、クリアファイル３０の間にリライトシート２０を挟み込み、リライトシート２０に印字されたドキュメントＤの内容を見ながらデジタルペン１０のペン部１２でドットパターン４０の上から筆記を行うと、カートリッジ１３に充填されたサーマルインキによってメモＭの情報“×××××”が書き換え可能に筆記される。
【００３７】
また、この筆記をしている最中に、デジタルペン１０の赤外線カメラ１４がクリアファイル３０上にあるドットパターン４０の赤外線画像を連続的に撮影する。このとき、プロセッサ１５は、撮影された赤外線画像に基づいてドットパターン４０の座標値で特定される文字の位置とその移動軌跡を読み取り、クリアファイル３０上にどのようなメモが筆記されたのかという筆記情報を認識する。そして、プロセッサ１５が認識した筆記情報はデジタルデータに変換され、ページ区分のデータとともにメモリ１６に記憶される。
【００３８】
（Ｅ）データ保存
次に、パソコンにデータを保存する。
【００３９】
デジタルペン１０からパソコン７０へのデータの移行作業はデジタルペン１０の通信機能を用いて行うことができる。すなわち、デジタルペン１０には通信ユニット１７が内蔵されており、通信ユニット１７の無線通信によってメモリ１６に記憶されているページ区分と筆記情報のデジタルデータがパソコン７０に転送される。そして、転送されたデジタルデータは、ページ区分のデータをキーにして、パソコン７０のメモリに記憶されているドキュメントＤのデジタルデータに関連付けされる。これにより、ドキュメントＤのデジタルデータとメモＭのデジタルデータを関連付けて保存することができる。なお、データの移行作業はデジタルペン１０とパソコン７０をＵＳＢケーブル等の有線で接続して行ってもよい。
【００４０】
（Ｆ）ドキュメント・ページ区分・メモ消去
最後に、リライトシートのドキュメント及びページ区分と、クリアファイルのメモを消去する。
【００４１】
パソコン７０へのデータ保存が完了すれば、リライトシート２０に印字されたドキュメントＤ及びページ区分Ｐと、クリアファイル３０に筆記されたメモＭは消去してもよい。すなわち、サーマルプリンタ６０の熱ローラ６２やその他の消去手段（例えば熱板やサーマルヘッドなど）でリライトシート２０を加熱した後に徐冷すると、感熱発色層２２が消色し、リライトシート２０に印字されていたドキュメントＤの情報“○○○○○”とページ区分Ｐが消去される。また、これとは別に、クリアファイル３０を熱ローラ６２等で加熱するとサーマルインキが消色するので、デジタルペン１０で筆記したメモＭの情報“×××××”も消去することができる。なお、デジタルペン１０のインキに剥離性油性インキを使用した場合には、クリアファイル３０を拭き取ってメモＭを消去すればよい。
【００４２】
また、クリアファイル３０に印刷されたドットパターン４０は耐熱性の赤外線吸収インキで構成されているので、熱ローラ６２等で加熱しても消去されることはない。このため、メモＭを消去した後のクリアファイル３０には、ドットパターン４０のみが残るので、上記（Ａ）のようにあらためてドットパターン４０を印刷する必要がなくなる。したがって、一度ドットパターン４０を印刷すればリライトシート２０とクリアファイル３０を再利用することが可能になり、以降は上記（Ｂ）〜（Ｆ）の手順でデータの保存処理を実行することができる。
【００４３】
以上説明したように、このデータ保存方法によれば、デジタルペン１０とリライトシート２０とクリアファイル３０を利用することによってドキュメントＤのデータとメモＭのデータをデジタルデータとしてパソコン７０に保存することができる。このため、手書きで筆記した情報を電子化する際の作業時間が短縮化され、ＯＡ環境における業務効率が大幅に向上する。また、ドキュメントＤとメモＭとの間でデジタルデータの関連付けを簡単に行えるので、データのマッチングミスも起こらない。さらには、メモＭを保存するためにコピー機で複写したりスキャナーで入力したりする作業が必要なくなるので、情報の漏洩を防止でき、セキュリティ性が高まる。
【００４４】
なお、上述した実施形態ではデジタルペン１０にアノト式ペンを使用し、ドットパターン４０にアノトパターンを採用したが、これに限らず、他の方式のデジタルペンとドットパターンの組み合わせを採用してもよい。また、リライトシート２０については熱可逆性のロイコリライトシートを使用したが、情報を書き換えることが可能であれば、これ以外の可逆性記録媒体を使用することもできる。さらに、デジタルペンのインキについてもサーマルインキ以外の可逆性インキを使用することができる。
【図面の簡単な説明】
【００４５】
【図１】本発明のデータ保存方法の手順を示す説明図。
【図２】クリアファイルに印刷されたドットパターンを示す拡大図。
【図３】リライトシートの構成を示す断面図。
【図４】デジタルペンの構成を示す断面図。
【符号の説明】
【００４６】
１０  デジタルペン
１１  ケース
１２  ペン部
１３  カートリッジ
１４  赤外線カメラ
１５  プロセッサ
１６  メモリ
１７  通信ユニット
１８  バッテリ
２０  リライトシート
２１  基材
２２  感熱発色層
２３  発色剤
２４  顕色剤
３０  クリアファイル
４０  ドットパターン
４１  ドット
５０  プリンタ
５１  インキローラ
５２  版胴
５３  ブランケット胴
６０  サーマルプリンタ
６１  サーマルヘッド
６２  熱ローラ
７０  パソコン
【図１】
2008047044.tif 000003
【図２】
2008047044.tif 000004
【図３】
2008047044.tif 000005
【図４】
2008047044.tif 000006